(57)【要約】  本発明は、コンテントを記憶するための第一のデータエリア（２１）及び少なくとも第一のデータエリアの一部分にアクセスを制限するための制限データ（２４）を記憶するための第二のデータエリア（２３）を具備する光学的な記憶媒体（２０）に関係する。記憶媒体に記憶されたコンテントへのアクセスが、制限される時間の周期が、たとえば、前記の時間の周期の後に、前記のコンテントへの制限されないアクセスが、承諾されるというようなことは、望まれたことである。これを達成するために、状態変化手段（２７）は、時間とともにそれの光学的な反射率及び／又は透過率を変化させることに適合させられた、記憶媒体に提供されるが、前記の変化は、制限された時間の周期の後に直接的に第二のデータエリアへのアクセスを予防するものであるか、又は、第一のデータエリアの少なくとも一つの部分へのアクセスが、前記の制限データに従って制限されるとするかどうかを決めるために間接的に使用されたものである。
2009545832.tif 000002
【特許請求の範囲】
【請求項１】
光学的な記憶媒体であって、
−  コンテントを記憶するための第一のデータエリア；
−  第一のデータエリアの少なくとも一部分へのアクセスを制限するための制限データを記憶するための第二のデータエリア、
−  時間とともにそれの光学的な反射率及び／又は透過率を変化させることに適合させせられた状態変化手段
：を具備する、光学的な記憶媒体。
【請求項２】
請求項１に記載の光学的な記憶媒体において、
前記状態変化手段は、第二のデータエリアをカバーする反応性の層を具備する、光学的な記憶媒体。
【請求項３】
請求項２に記載の光学的な記憶媒体において、
前記状態変化手段は、状態変化手段がそれの光学的な反射率及び／又は透過率を変化させる率を制御するための制御手段を具備する、
光学的な記憶媒体。
【請求項４】
請求項３に記載の光学的な記憶媒体において、
前記制御手段は、前記反応性の層をカバーする拡散障壁層を具備する、光学的な記憶媒体。
【請求項５】
請求項４に記載の光学的な記憶媒体において、
前記拡散障壁層は、前記率が設定される所定の厚さを有する、光学的な記憶媒体。
【請求項６】
請求項４又は５に記載の光学的な記憶媒体において、
前記拡散障壁層は、基体の部分を形成する、光学的な記憶媒体。
【請求項７】
請求項４又は５に記載の光学的な記憶媒体において、
前記拡散障壁層は、前記反応性の層の上側の少なくとも一部分及び／又は下側の少なくとも一部分をカバーするように配置される、光学的な記憶媒体。
【請求項８】
請求項３に記載の光学的な記憶媒体において、
前記制御手段は、前記反応性の層へ加えられた添加物を具備する、光学的な記憶媒体。
【請求項９】
請求項１に記載の光学的な記憶媒体において、
前記状態変化手段は、所定の閾値の値より上の値から前記所定の閾値の値より下の値までそれの光学的な反射率及び／又は透過率を変化させることに適合させられる、光学的な記憶媒体。
【請求項１０】
請求項１に記載の光学的な記憶媒体であって、
前記第二のデータエリアへのアクセスが、前記状態変化手段によって予防されるとすれば、前記第二のデータエリアに記憶された前記制限データの代わりの使用のためのデフォルトの制限データを記憶するための第三のデータエリアをさらに具備する、光学的な記憶媒体。
【請求項１１】
光学的な記憶媒体にアクセスするためのデバイスであって、
−  コンテントを記憶するための第一のデータエリア；
−  前記第一のデータエリアの少なくとも一部分へアクセスを制限するための制限データを記憶するための第二のデータエリア、
−  時間とともにそれの光学的な反射率及び／又は透過率を変化させることに適合させられた状態変化手段、：を具備すると共に、
前記デバイスは、
−  前記制限データを仮に読み取るための制限データ読み出しユニット、
−  前記制限データを読み取ることができるとすれば、前記制限データに依存して、又は、前記制限データを読み取ることができないとすれば、前記制限データと独立に、前記コンテントへのアクセスを制御するための制御ユニット
：を具備する、デバイス。
【請求項１２】
請求項１１に記載のデバイスにおいて、
前記制御ユニットは、前記制限データが、読み取り可能なものではないとすれば、制限無しに前記コンテントにアクセスするように適合させられる、デバイス。
【請求項１３】
請求項１１に記載のデバイスにおいて、
前記制御ユニットは、前記制限データが、読み取り可能なものではないとすれば、デフォルトの制限データに依存して前記コンテントにアクセスするように適合させられる、デバイス。
【請求項１４】
請求項１１に記載のデバイスであって、
前記状態変化手段の光学的な反射率及び／又は透過率を測定するための測定ユニット、及び、
前記光学的な反射率及び／又は透過率の測定された値が、所定の閾値の値より上にあるかどうかを決定するための、それによって制限データを読み取ることができるか否かを評定する、閾値ユニット
を具備する、デバイス。
【請求項１５】
−  コンテントを記憶するための第一のデータエリア；
−  前記第一のデータエリアの少なくとも一部分へのアクセスを制限するための制限データを記憶するための第二のデータエリア、
−  時間とともにそれの光学的な反射率及び／又は透過率を変化させることに適合させられた状態変化手段、
：を具備する光学的な記憶媒体にアクセスするための方法であって、
前記方法は、
−  前記制限データを読み取ることを試みること、
−  前記制限データを読み取ることができるとすれば、前記制限データに依存して；又は、前記制限データを読み取ることができないとすれば、前記制限データと独立に、前記コンテントへのアクセスを制御すること
：を具備する、方法。
【請求項１６】
請求項１５に記載の方法であって、
−  前記状態変化手段の前記光学的な反射率及び／又は透過率を測定すること、
−  前記光学的な反射率及び／又は透過率の測定された値が、所定の閾値の値より上にあるかどうかを決定すること、それによって制限データを読み取ることができるか否かを評定すること
：をさらに含む、方法。
【請求項１７】
請求項１６に記載の方法において、
制限データを読み取ることができないとすれば、制限データを読み取ることを試みるステップがとばされる、方法。
【発明の詳細な説明】
【技術分野】
【０００１】
本発明は、光学的な記憶媒体に、前記の光学的な記憶媒体にアクセスするためのデバイスに、及び、対応する方法に、関係する。
【背景技術】
【０００２】
各々のＤＶＤ−ビデオ・ディスクは、配布及びプレイバックが意図される世界のエリアを表示する、一つの又はより多くの領域コードを含有する。商業的なＤＶＤ−ビデオプレーヤーの仕様は、プレーヤーが、それの領域コードを含有するディスクのみを再生することができることを必然的に決める。領域コードは、ある単一のバイトとして定義されるが、その領域コードにおいて各々の領域は、あるビットに割り当てられる。そのビットが、割り当てられるとすれば、０又は１は、ディスクを特定の領域において再生することができるかどうかを示唆する。しかしながら、より高いレベルでは、あらゆるプレーヤーが、７つの領域の一つに割り当てられる；プレイバックの間にプレーヤーは、ＤＶＤ−ビデオ・ディスクにおける“ＲＭＡ”バイト（ＲＭＡ＝領域マネジメント）でそれの内部の領域コードをチェックする。このＲＭＡバイトは、事実上は、８ビットマスクである（あるビット＝０とすれば、対応する領域からのプレーヤーは、このようなディスクを再生することがある）。ＲＭＡバイトは、二回記録されることさえある：一度は、リードインゾーン（制御データゾーン）において、及びもう一度は、データゾーン内のファイルＶＩＤＥＯ＿ＴＳ．ＩＦＯにおけるＶＭＧＩ＿ＭＡＴにおいて、である。ＢＤ（ブルー・レイ）の領域については、コードは、未だに指定されてきてはいないが、しかしながら、それらは、近頃ＢＤの何人のユーザーによって要求されてきたものである。
【０００３】
理論上は、領域コードの使用は、動画のスタジオが、領域毎を基礎として（コンテント、データ、及び価格を含む）公開物の様々な態様を制御することを可能にする。地理的な領域は、以下のようなものである。
【０００４】
領域１−−アメリカ合衆国、カナダ
領域２−−日本、ヨーロッパ、南アフリカ、中東、グリーンランド
領域３−−韓国、台湾、香港、東南アジアの一部
領域４−−オーストラリア、ニュージーランド、（メキシコを含む）ラテンアメリカ
領域５−−東ヨーロッパ、ロシア、インド、アフリカ
領域６−−中国
領域７−−明記されてない特別な使用のために予約されたもの
領域８−−巡航船、航空路、等…のために予約されたもの
領域０又は領域全部−−ディスクが、コード化されてないものであると共に世界中で再生されることができる。
【０００５】
ＤＶＤ−ＲＯＭディスクにおける領域コードの存在についての主な理由を、図１によって説明することができる。映画は、その年を通して異なる時間に世界の異なる部分における劇場で公開される。米国における夏の超大作は、海外ではクリスマスの超大作であるもので終わることがある。図１において、たとえば、映画のＤＶＤバージョンは、それが、国Ｂ及びＣにおける劇場でなおも見せられる一方で、時間ｔＡにおける国Ａにおいてすたれたものである。特定の映画の劇場の配布からの金融収益を最大にする為には、領域コードは、国Ａにおける友人が、それが劇場の公開にあると共にそこのプレーヤーでＤＶＤを再生することができる国Ｂ及びＣへ、フィルムのＤＶＤコピーを送付することを（正常な条件では）不可能なものにする。
【０００６】
ここでの問題は、コンテントへのアクセスを制限するための制限データの特定の例として見ることができるものである、領域コードが、映画の劇場の配布が、（図１における時間ｔＣで）世界中で終了されるときには不必要なものになるというものである。そして、この領域コードは、身内の又は友人の国において映画のＤＶＤコピーを見ることを欲するＤＶＤの消費者にとって非常に都合の悪い及び迷惑なものにさえなる。
【発明の概要】
【発明が解決しようとする課題】
【０００７】
本発明の目的は、コンテントへのアクセスを制限するための制限データが、時間の制限された周期の間に、たとえば前記の時間の周期の後に前記のコンテントへの制限されてないアクセスが承諾されるように、効果を有する、光学的な記憶媒体を提供することである。
【０００８】
本発明のさらなる目的は、このような光学的な記憶媒体にアクセスするデバイス及び対応する方法を提供することである。
【課題を解決するための手段】
【０００９】
当該発明に従って、その目的は、請求項１に記載されたような光学的な記憶媒体によって達成される。時間とともに光学的な反射率及び／又は透過率における変化が、ある時間の周期の後に第二のデータエリアへのアクセスを直接的に予防するものであるか、又は、第一のデータエリアの少なくとも一つの部分へのアクセスが、前記の制限データに従って制限されるものとするか、どうかを決めるために間接的に使用されるものである。
【００１０】
本発明は、領域コードの寿命を制御するための、ｅｚ−Ｄから知られたもののような、寿命が制限された層／材料を、又はより一般的には、第一のデータエリアの少なくとも一つの部分に記憶されたコンテントへのアクセスを制限する制限データを、利用するという一般的な着想に基づいたものである。ｅｚ−Ｄディスクは、真空封止されたパッケージに供給されると共に、パッケージが開けられるとき、ディスクにおけるコンテントを、制限された時間の間のみ再生することができる。ｅｚ−Ｄディスクは、反応性の色素が、基体（即ち、ポリカーボネートの層）とＤＶＤの層を結合させる接着剤と混合させられるという原理で作動する。色素は、空気又は酸素拡散へ露出されたとき、還元された状態から酸化された状態へ向かう。酸化された状態において、色素が、光学的な書き込み及び読み取りに使用された波長を吸収する一方で、色素は、還元された状態においては透明なものであるが、このようにＤＶＤの層におけるデータを読み取り困難なものにする。支配的な劣化機構は、酸素が、基体を通じて拡散すると共に反応性の色素を反応するというものである。このように、このタイプのディスクは、制限された寿命の又は制限された使用のディスクを提供するが、それは、空気との接触のときに薄黒くなる層とデータ層を重ね合わせることによって達成される。制限された寿命のディスクは、映画のレンタルに類似の用途に使用されることが知られたものであるが、それによって顧客は、ガソリンスタンドで、スーパーマーケットで、又はどこでも映画を購入すると共に、そして、より後の時間に映画を鑑賞することを選ぶことができる。しかしながら、一度真空封止が破壊されると、制限された寿命のディスクは、所定の再生寿命を有するのみである。例えば、ｅｚ−Ｄは、４８時間の再生寿命を有するのみである。ｅｚ−Ｄを店に戻す必要は、無いのであるが、それは、ユーザーが単純にディスクを処分することができることを意味する。従って、ＣＲ＝当該発明に従った新しい製品、（ＢＤ−ＲＯＭ又はＤＶＤ−ＲＯＭのような）記憶媒体に記録された又は記憶された領域コードは、実質的には、満了の時間及び日付を獲得する。これは、（例．ＤＶＤ−ビデオの又はＢＤ−ビデオの）消費者が、それの劇場の配布からのコンテントの配布の収益が、害を受けないもののままである一方で、領域コードが、“満了させられた”ものであるとき（例．それの劇場の公開が終了させられるとき）、世界中でそれらの映画を鑑賞することを可能にする。
【００１１】
状態変化は、最終的に制限されていないアクセス（又はより少ない制限のアクセス）がコンテントに対して利用可能なものであるように、たとえば透過率の低減及び／又は反射率の増加が、直接的に前記の第二のデータエリアに記憶された制限データを読み取り困難なものにするか又は制限データがもはや読み取られない、使用されない若しくは評価されないものとするかどうかを決めるために間接的に使用されるかのいずれかであるように、制限データの寿命の制御のために本発明に従って使用されるものが、時間とともにそれらの光学的な反射率及び／又は透過率を変化させることに適合させられることを意味する。
【００１２】
領域コードの他には、それは、コンテントへのアクセスを領域的に制限するが、制限データは、また、ある一定の時間周期の間に若しくはある一定の時間若しくは日付にアクセスを制限する、時間制限データ、ある一定の個人若しくは個人の集団へアクセスを制限する、個人的な制限データＩ（例．パスワード若しくはＰＩＮ）、又は、ある一定のデバイス（例．権限が授与された若しくは廃止されてないデバイス）へアクセスを制限する、デバイス制限データのような、コンテントへのアクセスを制限する何らかの他の種類のデータでもあることができる。たとえば、制限データは、アクセス・キー、デバイス・キー又はパーソナル（プライベート）・キーのような、異なるキーを具備することがある。
【００１３】
当該発明の実施形態に従って、制限データは、第一のデータエリアに記憶されたコンテントの全体へアクセスを制御するが、しかし、制限データが、コンテントの一つの又はより多くの部分へのアクセスのみを制御することもまた可能なことである。さらに、異なる制限データが、コンテントの異なる部分に提供されること、及び、制限データが、異なる寿命を有することもまた可能なことである。
【００１４】
さらなる実施形態に従って、状態変化手段は、第二のデータエリアをカバーする反応性の層を具備するが、反応性の層は、前記の時間の制限された周期の長さを決定するために提供されたものである。加えて、状態変化手段が、前記の時間の制限された周期の長さを制御するための制御手段を具備することは、好適なことである。このような制御手段は、たとえば、反応性の層をカバーする拡散障壁層を具備することがあるが、その拡散障壁層は、所定の厚さを有することがあるが、それによって制限された時間の周期が、設定される及び／又は基体の部分を形成する。拡散障壁層は、反応性の層の上側の少なくとも一部分及び／又は下側の少なくとも一部分をカバーするために、また配置されることがあると共に、その制御手段は、反応性の層へ加えられた添加物を具備することがある。特に、ｅｚ−Ｄのディスクから知られた材料を、一般的には、同様に良好に本発明に従った記憶媒体において使用することができる。
【００１５】
本発明の記憶媒体の特定のレイアウトに関してまた異なる実施形態がある。特に、一つの実施形態において、第一のデータエリアは、第一のデータ層に提供されると共に、第二のデータエリアは、第二のデータ層に提供されるが、そこでは第一のデータ層が、たとえば、ＢＤのデータ層であることができると共に第二のデータ層が、ＤＶＤのデータ層であることができるが、何らかの種類のハイブリッド・ディスクに帰着するものである。別の実施形態においては、第一のデータエリア及び第二のデータエリアは、共通のデータ層における別個のエリアである。
【００１６】
好ましくは、状態変化手段は、所定の閾値の値より上の値から前記の所定の閾値の値より下の値までそれの光学的な反射率及び／又は透過率を変化させることに適合させられる。これは、閾値検出器のみが、基本的に要求されるので、第一のデータエリアの少なくとも一部分へのアクセスが、前記の制限データに従って制限されるものとするか否かを決めることをかなり簡単なものにする。さらなる実施形態に従って、閾値の値が、一般的には、各々のディスク又は少なくとも各々のディスクのタイプについて異なるものであるので、前記の所定の閾値の値又は前記の所定の閾値の値を計算するため指示値は、記憶媒体に記憶される、即ち、前記の閾値の値は、例．ディスクの製造業者によって、前もって決定される。
【００１７】
当該発明のさらなる態様に従って、提供されるものは、それぞれ、請求項１１及び１５に記載されたような光学的な記憶媒体を評定するためのデバイス及び方法である。これらのデバイス及び方法が、光学的な記憶媒体について従属請求項に定義された特徴に対応する特徴を有することがあることは、理解されるものとする。
【図面の簡単な説明】
【００１８】
【図１】図１は、異なる時間での異なる国における映画の劇場の配布及びディスクの公開を図示する。
【図２】図２は、本発明に従った記憶媒体の実施形態としてのハイブリッド・ディスクを示す。
【図３】図３は、本発明に従ったハイブリッド・ディスクのさらなる実施形態を示す。
【図４】図４は、本発明に従ったディスクの別の実施形態の断面を示す。
【図５】図５は、図４に示されたディスクの上面図を示す。
【図６】図６は、本発明に従ったディスクの別の実施形態の断面を示す。
【図７】図７は、本発明に従ったドライブの実施形態を示す。
【図８】図８は、ベーシックブルーの分子及び吸収スペクトルを示す。
【図９】図９は、ナイルブルーの分子及び吸収スペクトルを示す。
【図１０】図１０は、メチレンブルーの分子及び吸収スペクトルを示す。
【図１１】図１１は、ロイコメチレンブルーからメチレンブルーへの遷移を示す。
【発明を実施するための形態】
【００１９】
当該発明のより良好な理解のために、及び、どのようにそれが実行に移されることがあるかをより明りょうに示すために、今、ほんの一例として、以下の図面への参照をすることにするが、それらにおいて：
図１は、異なる時間での異なる国における映画の劇場の配布及びディスクの公開を図示する、
図２は、本発明に従った記憶媒体の実施形態としてのハイブリッド・ディスクを示す、
図３は、本発明に従ったハイブリッド・ディスクのさらなる実施形態を示す、
図４は、本発明に従ったディスクの別の実施形態の断面を示す、
図５は、図４に示されたディスクの上面図を示す、
図６は、本発明に従ったディスクの別の実施形態の断面を示す、
図７は、本発明に従ったドライブの実施形態を示す、
図８は、ベーシックブルー（Basic  Blue）の分子及び吸収スペクトルを示す、
図９は、ナイルブルー（Nile  Blue）の分子及び吸収スペクトルを示す、
図１０は、メチレンブルー（Methylene  Blue）の分子及び吸収スペクトルを示すと共に、
図１１は、ロイコメチレンブルー（leuco  methylene  blue）からメチレンブルーへの遷移を示す。
【００２０】
図２は、本発明に従った光学的な記憶媒体２０を示す。光学的な記憶媒体２０は、第一のデータ層２１を、例えばＢＤのデータ層（例えば、ＢＤ−ＲＯＭ、ＢＤ−Ｒ、又はＢＤ−ＲＥの層）を、具備する。加えて、光学的な記憶媒体２０は、第二のデータ層２３を、例えばＤＶＤのデータ層（例えば、ＤＶＤ−ＲＯＭ／Ｒ／ＲＷ／ＲＡＭ／±Ｒ／±ＲＷ）を、具備する。第二のデータ層２３は、第三の層２７を使用することで基板２５へ結合させられる。第三の層２７は、それが、ｅｚ−Ｄ層であることができるが、反応性の薬剤と組み合わせられた接着剤を具備する。第三の層２７における反応性の薬剤は、第二の層２３に含有させられたデータへ制限された寿命を提供するために作用する。好ましくは、光学的な記憶媒体２０は、また、カバー層２９、例えば第一のデータ層２１をカバーするためのポリカーボネートの層、及び、基板３１、例えばポリカーボネート層、を具備する。
【００２１】
このような記憶媒体は、一般には、ハイブリッド・ディスクともまた呼ばれる。ＢＤのデータ層、ＤＶＤのデータ層及び／又はＣＤのデータ層の異なる組み合わせを有するものである、ハイブリッド・ディスクの多数の異なる組み合わせが、可能なものであることは、認識されると思われる。ハイブリッド・ディスクを伴った一般的な着想は、それらが、異なるタイプの情報及びコンテントが分離されることを可能にするというものである。ハイブリッド・ディスク２０において、映画及びソフトウェアのようなデータを、ＢＤのデータ層２１及びＤＶＤのデータ層２３に利用可能なものにすることができるが、それは、ハイブリッド・ディスク２０を、（ＢＤのデータ層２１を使用することで）次世代のＢＤプレーヤーにおいて、又は、（ＤＶＤのデータ層２３を使用することで）既存のＤＶＤプレーヤーにおいて、再生することができることを意味する。
【００２２】
第二のデータ層２３（即ち、制限された寿命を有するもの）は、第一のデータ層２１に含有させられたデータの少なくとも一部分へのアクセスを制御するための制限データ２４（例．領域コード）を含有する。この方式において、制限データは、第一のデータ層２１における情報と第二のデータ層２３に含有させられた制限された寿命の情報との間のリンクを提供する。好ましくは、第一のデータ層２１のコンテントの表は、制限データ２４（例．領域コード）が、第二のデータ層２３に位置させられることを示唆するべきである。制限データは、所定の時間の後に、読み取り困難なものになることになる（言い換えれば、制限データとしての領域コードの場合には、第一のデータ層は、領域コードの無いものになることになる）。これは、たとえば、反応性の薬剤が、酸化の際に透明なものから青色のものへ向かうという点で、達成される。よって、寿命が制限された層の寿命は、それに到達する酸素の量によって制御される。
【００２３】
当該発明は、第二のデータ層２３（ＤＶＤのデータ層）に記憶された少量のデータを、第一のデータ層２１（ＢＤのデータ層）に記憶された大量のデータと相互作用するように使用することができるという利点を有する。
【００２４】
上に述べられたように、好ましくは、第二のデータ層２３に記憶された制限データを、第一のデータ層２１に記憶されたデータの一部分のみへのアクセスを制御するために使用することができる。これは、第一のデータ層２１に含有された情報の選択された部分のみへのアクセスを、ある一定の時間の間に制限することができると共にその後にあまり制限されないもの又は自由に承諾されたものであることができるという利点を有する。
【００２５】
あるいは、第二のデータ層２３に記憶された制限データを、第一のデータ層２１に記憶されたデータの全てへのアクセスを制御するために、使用することができる。従って、当該発明は、第一のデータ層２１におけるデータの一部分又は全てのいずれかが、ある一定の時間の間に制限されたアクセスを有することを可能とするという利点を有する。
【００２６】
第三の層２７に使用された反応性の試剤が、所定の量の時間の後に第二の層２３に記憶されたデータへのアクセスを予防するという効果を有するいずれの反応性の薬剤でもあることができることは、留意されることである。この目的のために様々な反応性の色素及び光脱色剤を使用することは、周知のことである。
【００２７】
現行では、商業的なｅｚ−Ｄの寿命は、４８時間である。当該発明の別の態様に従って、ディスクの寿命を、制御する又は調整することができる。これは、経年変化の機構を、それが調整可能な寿命を有するように、制御するための手段を提供することによって達成される。寿命を制御することを、二つの方式ですることができる。最も率直な方式は、色素の組成を変化させること又はスタックに酸素拡散障壁を含めることである。光学的な記憶媒体の層のスタックにおける酸素拡散層の概略的な描像は、以下に示される。
【００２８】
図３は、第二のデータ層２３の寿命を調整するための好適な実施形態を示す。図２に類似の様式で、光学的な記憶媒体４０は、第一のデータ層２１、例えばＢＤのデータ層、及び第二のデータ層２３、例えばＤＶＤのデータ層、を具備する。第二のデータ層２３は、反応性の薬剤と組み合わせられた接着剤を具備する、第三の層２７を使用することで基板２５へ結合させられる。
【００２９】
加えて、当該発明に従って、提供されるものは、拡散層３３である。拡散層３３は、障壁として作用すると共に、第二のデータ層２３の寿命を調整するように構成されることができる。例えば、拡散層３３は、反応性の層２７に浸透する酸素の拡散又は水の拡散を制限するための窒化ケイ素の層であることができる。さらには、反応性の層２７の“上側”をカバーする拡散層３３を有することに加えて、拡散層３５が、また、“下側”から反応性の層２７に浸透する、酸素の拡散又は水の拡散を制限するために提供されることがある。他の可能性が、拡散層３３なしの拡散層３５の提供、又は、それにおいて、各々の拡散層が、反応性の層２７の一部をカバーするのみであることのような、当該発明によってカバーされることは、認識されると思われる。後者のものでは、第二のデータ層２３の一つの部分（例えば、第一のデータ層２１に制限データを含有する部分２４）が、第二のデータ層２３の別の部分より先にアクセスし難いものになることは、可能なことである。
【００３０】
拡散層３３及び／又は３５は、経年変化する又は反応性の層２７への空気からの酸素又は湿気の拡散を制限するように作用すると共に、それによって酸素の拡散を制限する。一つの実施形態に従って、寿命は、拡散層３３及び／又は３５の厚さを変動させることによって制御される。言い換えれば、拡散層３３及び／又は３５の厚さは、寿命が制限された経年変化する層２７に到達する酸素又は湿気の量を制御する。あるいは、寿命を、接着剤の層における反応性の添加物の量を変動させることによってもまた、調整することができる。
【００３１】
上記の実施形態が、別個の拡散層３３及び／又は３５を有するように記載されてきたものであるとはいえ、拡散層３３及び／又は３５が、それぞれ、ポリカーボネートの基板２５及び／又は３１の一部を形成することがあることは、留意されることである。言い換えれば、この特定の実施形態に従って、経年変化は、ポリカーボネートの基板の多孔性又は浸透性を調整することによってディスクを通じた酸素又は湿気の拡散を制御することによって、制御される。この様式で、制限データ（例．領域コード）による第一のデータ層に記憶されたコンテント（の部分）へのアクセスを、製造する間に制御することができる、時間周期。言い換えれば、一度特定の拡散層３３及び／又は３５で製造されると、制限データは、（異なる拡散層を伴って製造された別個のディスクとは異なることができる）設定された寿命を有する。
【００３２】
当該発明が、第二のデータ層２３の寿命を調整する他の方法をもまた包含することは、認識されると思われる。例えば、スピンコートされたラッカー層を、いずれの界面でも、ディスクの表面にでさえも、ディスクへ設けることができる。ラッカー層（例えば、スピンコートされたＵＶ硬化性の樹脂）は、しばしば、接着剤として又は酸素及び湿気拡散障壁として光学的なディスクの生産において使用される。
【００３３】
本発明に従って、光学的な記憶媒体、例．ＤＶＤ−ＲＯＭ又はＢＤ−ＲＯＭ、のさらなる実施形態を、今、図４から６までを参照して手短に説明することにする。この実施形態において、領域コード、又は領域コードを含有するディスクの部分のみが、データ及び反射性の層５１、カバー層５２及び基板層５３を有する同じディスク５０の断面（図４）及び上面図が示される図４及び５に示されるように、寿命が制限された層の下に埋め込まれる。ＤＶＤにおける領域コードは、リードイン（lead-in）ゾーン５４に記憶されるが、それは、ディスク５０の最も内側の半径に位置させられると共に、よって、反応性の薬剤を含有する接着剤層５５は、それの特異的な半径についてのみ局所的に設けられる。
【００３４】
あるいは、図６に示されたディスク６０の実施形態に示されるように、それが様々な重要なディスク・パラメーターを失うことを回避する為に典型的には元来のリードインゾーンに加えて存在するものである、二次的な又は余剰なリードインゾーン、又はそのリードインゾーンの部分、６２が、コートされた寿命が制限された層を有するものではなく、たとえば、コンテントへのアクセスを限定するものではない、領域フリーの領域コードを有するのに対して、寿命が制限された層６１は、領域コードを備えた、（示されないが、層６１の下に直接的に横たわる）リードインゾーン、又はリードインゾーンの部分、の全体の半径へ設けられる。この場合には、明らかに、元来の領域コードは、所定の時間の後にアクセスし難いものになると共に、そして、ディスクは、領域フリーの領域コードを備えた二次的な又は余剰なリードインゾーンの理由のために、領域コードの無いものになる。
【００３５】
ディスクのコンテントの表において（又はいくつかの他の所定の場所で）、ドライブが、最初に、領域コードが置かれる（このエリアは、好ましくはまた、寿命が制限された層を有する）特定の場所における領域コードをサーチするべきであることを、指定することができる。ドライブが、その場所に領域コードを見つけることができないとすれば（例．寿命が制限された層が、それを読み出すことを不可能なものにするとき）、そのときには、ドライブは、別の場所に（例．領域フリーのコードが位置させられる、所定の第三のデータエリア）領域コードを探すべきであるか、又は、制限無しに（即ち、いずれの領域コードによっても制限無しに）自由にコンテントにアクセスすることが可能にされるべきである。
【００３６】
寿命の制限は、今までのところ、ある層において起こることが仮定されてきたことであるが、しかしながら、劣化についての機構は、ポリカーボネートの基体においても（ＤＶＤ）、又は、カバーシートにおいても（ＢＤ）、同程度に簡単に起こり得るであろう。たとえば、ロイコ・メチレン・ブルー（Leuco  Methylene  Blue）を、ポリカーボネートの基板において、又は、カバーシートにおいて、加えることができるであろう。
【００３７】
今、本発明のさらなる実施形態を、図７に示された本発明に従ったドライブの実施形態のブロック図の使用によって説明することにする。ＢＤにおいては、領域に依存するものである、定義されたトラック・ピッチ（ＴＰ）についての二つの値がある。ディスクの始まりから半径Ｒ＝２３．１９７ｍｍまでの全てのトラックは、ＴＰ＝０．３５を有する。Ｒ＝２３．２３５ｍｍ及びＲ＝２３．１９７ｍｍとＲ＝２３．２３５ｍｍとの間のより大きいＴＰ＝０．３２について、遷移ゾーンがあるが、それは、保護ゾーン（Protection  Zone）２と呼ばれる。保護ゾーン２は、トラック・ピッチについての切り換えエリアとして使用されるのみである。保護ゾーン２は、１００個のトラックからなると共に情報又はデータを含有しない。従って、保護ゾーン２は、この実施形態に記載された例について使用することができるであろう、ディスクにおける領域の例である。標準的な現行のＢＤにおいて、保護ゾーン２における全てのデータは、１６進数の００に設定される。
【００３８】
本発明のこの実施形態に従って、しかしながら、それは、このエリアの使用がなされるが、それは、おおよそ４０μｍの幅広さである。寿命が制限された層（lifetime  limited  layer）（ＬＬＬ）は、２３．１９７＜ＲＬＬＬ＜２３．２３５ｍｍであるというように、この保護ゾーンの上部に正確に位置させられる。ＬＬＬの反射は、今、この層の反射が、ゼロへ向かうものではないが、ある一定の値まで、例．元来のものの４０％から８０％まで、減少するというようなものである。
【００３９】
今、その着想は、以下のものである。（たとえばＢＤのディスクであるが、しかし必ずしもＢＤのディスクではない）ディスクにおいてどうかして／どこかに領域コードが加えられることを仮定すると、ドライブ７０は、最初に、読み取りユニット７３によって読み取るためのスピンドル・モーター７２によって回転させられる、ディスク７１に存在する領域コードがあるものであるかどうかを調べてみる。領域コードが、不在のものであるか又は領域コードが、全ての領域がディスクを再生することができることを示唆する値を有する（例．ＤＶＤにおけるものと同様に、領域コード＝０）とすれば、そのとき、ドライブ７０は、保護ゾーン２を無視する。領域コードが、存在するものである（例．領域コード＝２）とすれば、そのとき、ドライブは、また、測定ユニット７４の使用によって保護ゾーン２の反射の値を測定する。そして、測定された反射の値は、閾値ユニット７５における（メモリ７６から提供された又はディスク７１から読み取られた）閾値の値に対してチェックされる。反射が、ある一定の閾値の値（例えば、α×ディスクの残りの反射）より下にあるとすれば、そのときには、それは、ある一定のエイジを有する、ディスク７１を読み取るものであるが、このようにして、それは、領域コードを無視することができることを知る。しかしながら、反射が、閾値レベルより上にあるとすれば、そのときには、それは、前に読み出されたように領域コードの値を保つことになる。閾値ユニット７５によって得られたこの情報は、制御ユニット７７によって評価されるが、それは、基本的には、コンテントＣが、制限データが無視される又は無視されないものとするかどうかに依存することで出力される又は出力されないかのいずれかであるというように、制限データＡ（領域コード）に基づいて読み取られたコンテントＣの出力を制御する。
【００４０】
このように、基本的には、以下のステップ：
１．領域コード（region  code）（ＲＣ）を読み出す；
２．ディスクの保護ゾーン２の反射（Ｒｄｉｓｃ）を決定する；
３．ＲＣ＝０とすれば、そのときには、データを読み出すと共に保護ゾーン２／領域コードを無視する；
４．ＲＣ＜＞０とすれば、そのとき、反射保護ゾーン２（Ｒｅｆｌ２）を測定する；
５．Ｒｅｆｌ２≦α×Ｒｄｉｓｃであるとすれば、そのとき、ＲＣ＝０に設定する；
６．Ｒｅｌｆ２＞α×Ｒｄｉｓｃであるとすれば、そのとき、ＲＣの現行の値を保つ
は、ドライブ７０によって実行される。
【００４１】
αの値は、（例．同じタイプの）全てのディスクについてある一定の定数であると共にこのようにドライブのメモリ７６に記憶されることができるか、又は、それの値を、いくつかのディスクが他のものよりも長い時間の間保護されるというように、ディスクにおけるどこかに記憶することができる。
【００４２】
この方法の利点は、レガシードライブが、保護ゾーン２において何が起こっているのかを知ることを必要とするものではないというものである。それらは、領域コードが、それの正しい値を有するとすれば、常にディスクを再生することになると共に、また保護ゾーン２における反射の変化によって影響されないことになる。正しいファームウェアを備えたドライブのみが、反射の情報で何をするのかを知ることになる。あるいは、ＬＬＬの無いディスクをもまたあらゆるドライブにおいて再生することができる。
【００４３】
上に記載された実施形態は、保護ゾーン２の反射率を測定するが、しかしながら、反射率を測定するという同じ着想を、ディスクの他の所定の部分、例．この目的のために提供された又はいずれの他の目的にも使用されない特異的な部分、からの反射率を測定することに等しく良好に適用することができる。さらに、その着想を、一般には、ＢＤのディスクにだけではなく、いずれのタイプのディスクにも適用することができる。
【００４４】
さらに、図７に示された実施形態に従って、コンテントは、出力されるか又は出力されないかのいずれかである。しかしながら、他の（中間の）制限は、また可能なことである。たとえば、領域コードの代わりに、アクセス・キー、時間制限、又は他の著作権保護データ（例．そのくらいの頻度でコンテントを再現することができるかのカウンター）のような他の制限データを使用することができる。そして、測定された反射の値を、測定すると共に、閾値の値だけではなく、数個の（同一ではない）閾値の値と、それらに基づいて測定された反射率の値がより低ければ低いほど制限を段階的に低減することができるであろうというように、比較することができるであろう。たとえば、反射が、元来の反射の値の８０−６０％であるとすれば、そのとき、所定の、たとえばコンテントの表における、ある一定のファイルへのアクセスは、許容されるか又は拒まれる。反射が、元来の値の６０−４０％の間にあるとき、そのとき、所定の、たとえばコンテントの表における、他のファイルへのアクセスは、変化させられる等々である。
【００４５】
上に記載された実施形態に従って、寿命が制限された層が、制限データ（例．領域コード）を読み取ることができる状態から、制限データをもはや読み取ることができない状態へ向かうことが、仮定される。類似の方式で、読み取り困難な状態から、制限データを読み取ることができる状態へ向かう、例．色素を用いるものである、状態変化手段を見出すことは、可能なことである。そして、図７に図示されたドライブの実施形態の場合には、保護ゾーンの反射率は、時間とともに増加する、即ち、制限データが適用される又は適用されないものとするかどうかの決定をするために、反射率が増加させられておかれたものであると共にある一定の閾値より上にあるかどうかが、決定されることになる。
【００４６】
当該発明を、ｅｚ−Ｄ又は寿命が制限された層／材料を使用することで寿命が制限された領域コードを備えたＤＶＤ−ビデオ（又はＢＤ−ビデオ）へ適用することができるが、しかし、それに限定されない。これは、消費者が、世界中でそれらの映画を、それの劇場の配布からのコンテントの配布者の収益が損なわれていないままである一方で、それの劇場の公開が終了させられるときに、注視することを可能にする。しかし、当該発明の多くのさらなる使用は、可能なことである。たとえば、当該発明は、今ソフトウェアを許諾することを可能とするが、しかし、それを、ある一定の期間、例えば数週間又は数ヶ月、の後にのみ使用可能なものにする。さらに、敏感な文書を、たとえば、ある一定の時間の周期の後にのみアクセス可能なものにするか、又は、文書に対するアクセスを獲得する人々の数を、時間とともに段階的に増加させることができる。
【００４７】
以下のものにおいて、時間と共にそれの光学的な反射率及び／又は透過率を変化させるという効果を提供するための本発明に従って使用することができる、即ち、本発明に従った状態変化手段に使用することができる、いくつかの材料を説明するものとする。特に、青色のもの（６００−７００ｎｍの範囲における高い吸収）であるが、しかし、酸化の際に無色のもの又は赤色のものに徐々に変色する、色素又は指示薬が、述べられるものとする。特に、（第二の環にＮ及びＯ原子を含有する）オキサジン類及び（第二の環にＮ及びＳを含有する）チアジン類は、この目的に適切なものである。以下のものにおいて、それらの少数の例を手短に説明することにする。
【００４８】
第一の例は、ベーシック・ブルー（Basic  Blue）であるが、それの分子及び吸収スペクトルは、図８に示される。分子は、多色性の最終生成物の付随した形成を伴った酸化性の脱エチル化に影響されやすいであることが、ありそうなものである。
【００４９】
第二の例は、ナイル・ブルー（Nile  Blue）であるが、それの分子及び吸収スペクトルは、図９に示される。水の溶液においては、ナイル・ブルーが、ナイル・レッド（Nile  Red）に徐々に変換する：ＮＨ２基が、＝Ｏに取って代わられることが、知られる。吸収のピークは、６５０ｎｍから５５０ｎｍまでシフトする。これは、この分子が、目標とされた用途についての候補であるように、水が、ポリカーボネートの基板を通じて色素の層へ拡散しているときにもまた、起こる。
【００５０】
第三の例は、メチレン・ブルー（Methylene  Blue）であるが、その分子及び吸収スペクトルは、図１０に示される。この分子は、酸化性の脱メチル化によってメチレン・アズール類（Methylene  Azure）を容易に形成する。また、自発的な酸化は、メチレン・ブルーの溶液において起こるが、多色性メチレン・ブルー（Polychrome  Methylene  Blue）の形成に帰着する。ロイコ・メチレン・ブルー（Leuco  Methylene  Blue）（無色のもの）は、ｅｚ−Ｄディスクに使用される（またＷＯ２００４／０１０４２６Ａ２を参照のこと）が、それは、酸化の際にメチレン・ブルー（青色のもの）を形成する。そのとき、着色の機構は、図１１に示されたような（青色の）メチレン・ブルーへの（無色の）ロイコ・メチレン・ブルーの酸化に基づいたものである。
【００５１】
ロイコ・メチレン・ブルーは、酸化還元に基づいた滴定における周知の指示薬剤である。この変換は、別の酸化反応、すなわち、２−エチルヘキサン酸Ｓｎ（ＩＶ）への２−エチルヘキサン酸Ｓｎ（ＩＩ）の遷移によって制御される。この後者の転換は、メチレン・ブルーの酸化還元対とは対照的に、平衡反応ではない。２−エチルヘキサン酸Ｓｎ（ＩＩ）の酸化ポテンシャルは、ロイコ・メチレン・ブルーものよりもはるかに低いものである。結論として、ロイコ・メチレン・ブルーの呈色が開始することになる前に、酸化剤（周囲のＨ２Ｏ等からの酸素）の存在において、Ｓｎ（ＩＩ）の塩は、全てのＳｎ（ＩＩ）がＳｎ（ＩＶ）へ変化してしまうまで、最初に酸化されることになる。接着剤／色素の層における２−エチルヘキサン酸Ｓｎ（ＩＩ）の濃度は、ディスクが黒色に変色する前における定温放置の時間を決定することになる。黒色の色は、赤色のポリカーボネート基板との組み合わせから結果として生じる：一度青色のメチレン・ブルーが、形成されると、ディスクは、６７０ｎｍの光に対してもはや透明なものではないことになると共に、よって読み取り困難なものであることになる。良好に制御可能な定温放置の時間は、接着剤の層への酸素の補給が、この層が周囲へ直接的に露出させられる場合に、ディスクの縁を介してというよりもむしろ、主として（赤色の）ポリカーボネート基板を通じて進行することを、暗示する。ポリカーボネートは、空気及び湿気についてかなりアクセス可能なものであることが知られる。
【００５２】
このような材料についてのより詳細を、Ｔｈｅ  Ｓｉｇｍａ−Ａｌｄｒｉｃｈ  Ｈａｎｄｂｏｏｋ  ｏｆ  Ｓｔａｉｎｓ，Ｄｙｅｓ  ａｎｄ  Ｉｎｄｉｃａｔｏｒｓ，Ｆ．Ｊ．Ｇｒｅｅｎ，Ａｌｄｒｉｃｈ  Ｃｈｅｍｉｃａｌ  Ｃｏｍｐａｎｙ，Ｍｉｌｗａｕｋｅｅ，Ｗｉｓｃｏｎｓｉｎ（１９９０）に見出すことができる。
【００５３】
別の有用なアプローチは、いわゆるインビジブル・インクを使用することである。様々な種類のものがあるが、最も有用なものは、書き込みのすぐ後には、青色のもの又は黒色のものであるが、しかし（酸化反応のせいで）約二日で色あせる。このようなインビジブル・インクは、たとえば、ｈｔｔｐ：／／ｗｗｗ．ｐｉｍａｌｌ．ｃｏｍ／ｎａｉｓ／ｄｉｓｐｅｎ．ｈｔｍｌに記載されたものである。
【００５４】
ＢＤの層又はＤＶＤの層であるとして特定の層を参照するとき、このような参照が、関心がもたれた形式についての反射性の層であるとしてこれらの層を参照することが、認識されることであるということは、留意されるものとする。
【００５５】
好適な実施形態が、光学的なディスクにおける様々な層についての好適なレイアウトを示す一方で、これらの層が、不必要に応じて異なって相互交換させられる又は配置されることがあることもまた、留意されることである。例えば、拡散障壁層３３及び３５が、反応性の層２７の上側及び下側のすぐ次に配置されるものであるとして示されるとはいえ、拡散障壁層３５を、これが、酸素又は湿気が反応性の層２７に到達することをなおも制限するであろうと思われるので、第二のデータ層２３の下側に等しく置くことができるであろう。類似の様式において、拡散障壁層３３をもまた、反応性の層２７の上側に対して他の所に位置させることができるであろう。用語“下側の”が、レーザー源から離れて位置させられた側を意味するのに対して、用語“上側の”が、レーザー源に向かって位置させられる側を意味することは、認識されると思われる。
【００５６】
さらに、図７に示された実施形態以外の本発明を用いるドライブの実施形態があることになる。たとえば、一つの実施形態において、ドライブは、本質的に、スピンドル・モーター７２、読み取りユニット７３、及び制御ユニット７７のみを具備することがあるが、しかし、ユニット７４，７５、及び７６を具備するものではない。制御ユニット７７は、制限データ（例．領域コード）を記憶する第二のデータエリア（例．コンテンツの表）へのアクセスが予防される場合に、それが、第二のデータエリアに記憶された制限データの代わりの使用のために前記のデフォルトの制限データを記憶する第三のデータエリア（例．コンテンツのデフォルトの表）からデフォルトの制限データ（例．領域フリーの領域コード）を読み取るために、又は、制限データを読み出さないために、読み取りユニット７３を制御するように、適合させられることがある。そのとき、制御ユニット７７は、それに応じて、読み取り制限データに従って又は制限データに従うことなく、それぞれ、ディスク７１における前記の第一のデータエリアに記憶されたコンテントへのアクセスを制御することがある。
【００５７】
本発明を以下のように要約することができる。コンテントを記憶するための第一のデータエリア２１及び第一のデータエリアの少なくとも一部分へのアクセスを制限するための制限データ２４を記憶するための第二のデータエリア２３を具備する光学的な記憶媒体２０は、提案される。記憶媒体に記憶されたコンテントに対してアクセスが、制限される、時間の周期について、たとえば、前記の時間の周期の後で、前記のコンテントへの制限されてないアクセスが、承諾されるというようなことは、望まれることである。これを達成するために、状態変化手段２７は、時間とともにそれの光学的な反射率及び／又は透過率を変化させることに適合させられた、記憶媒体に提供されるが、前記の変化は、制限された時間の周期の後に第二のデータエリアへのアクセスを直接的に予防するか、又は、第一のデータエリアの少なくとも一つの部分へのアクセスが、前記の制限データに従って制限されるものとするかどうかを決めるために間接的に使用されるものである。
【００５８】
上述の実施形態が、本発明を限定するよりもむしろ例証すること、及び、当業者が、添付された請求項の範囲から逸脱することなく多数の代替の実施形態を設計することができると思われることは、留意されるべきである。単語“を具備する”ことは、請求項に列挙されたもの以外の要素又はステップの存在を排除するものではない、“ある”は、複数を排除するものではない、及び単一のプロセッサー又は他のユニットは、請求項に記載された数個のユニットの機能を充足することがある。請求項におけるいずれの符号も、それらの範囲を限定するように解釈されないものとする。
【図１】
2009545832.tif 000003
【図２】
2009545832.tif 000004
【図３】
2009545832.tif 000005
【図４】
2009545832.tif 000006
【図５】
2009545832.tif 000007
【図６】
2009545832.tif 000008
【図７】
2009545832.tif 000009
【図８】
2009545832.tif 000010
【図９】
2009545832.tif 000011
【図１０】
2009545832.tif 000012
【図１１】
2009545832.tif 000013
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
光学的な記憶媒体であって、
−  コンテントを記憶するための第一のデータエリア；
−  第一のデータエリアの少なくとも一部分へのアクセスを制限するための制限データを記憶するための第二のデータエリア、それによって前記第一のデータエリアの前記部分への前記アクセスが、前記制限データを読み取ることができるとすれば、前記制限データに依存して、又は、前記制限データを読み取ることができないとすれば、前記制限データと独立に、制御されること、
−  時間とともに前記第二のデータエリアの光学的な反射率及び／又は透過率を変化させることに適合させせられた状態変化手段
：を具備する、光学的な記憶媒体。
【請求項２】
請求項１に記載の光学的な記憶媒体において、
前記状態変化手段は、第二のデータエリアをカバーする反応性の層を具備する、光学的な記憶媒体。
【請求項３】
請求項２に記載の光学的な記憶媒体において、
前記状態変化手段は、状態変化手段がそれの光学的な反射率及び／又は透過率を変化させる率を制御するための制御手段を具備する、
光学的な記憶媒体。
【請求項４】
請求項３に記載の光学的な記憶媒体において、
前記制御手段は、前記反応性の層をカバーする拡散障壁層を具備する、光学的な記憶媒体。
【請求項５】
請求項４に記載の光学的な記憶媒体において、
前記拡散障壁層は、前記率が設定される所定の厚さを有する、光学的な記憶媒体。
【請求項６】
請求項４又は５に記載の光学的な記憶媒体において、
前記拡散障壁層は、基体の部分を形成する、光学的な記憶媒体。
【請求項７】
請求項４又は５に記載の光学的な記憶媒体において、
前記拡散障壁層は、前記反応性の層の上側の少なくとも一部分及び／又は下側の少なくとも一部分をカバーするように配置される、光学的な記憶媒体。
【請求項８】
請求項３に記載の光学的な記憶媒体において、
前記制御手段は、前記反応性の層へ加えられた添加物を具備する、光学的な記憶媒体。
【請求項９】
請求項１に記載の光学的な記憶媒体において、
前記状態変化手段は、所定の閾値の値より上の値から前記所定の閾値の値より下の値までそれの光学的な反射率及び／又は透過率を変化させることに適合させられる、光学的な記憶媒体。
【請求項１０】
請求項１に記載の光学的な記憶媒体であって、
前記第二のデータエリアへのアクセスが、前記状態変化手段によって予防されるとすれば、前記第二のデータエリアに記憶された前記制限データの代わりの使用のためのデフォルトの制限データを記憶するための第三のデータエリアをさらに具備する、光学的な記憶媒体。
【請求項１１】
光学的な記憶媒体にアクセスするためのデバイスであって、
−  コンテントを記憶するための第一のデータエリア；
−  前記第一のデータエリアの少なくとも一部分へアクセスを制限するための制限データを記憶するための第二のデータエリア、
−  時間とともに前記第二のデータエリアの光学的な反射率及び／又は透過率を変化させることに適合させられた状態変化手段、：を具備すると共に、
前記デバイスは、
−  前記制限データを仮に読み取るための制限データ読み出しユニット、
−  前記制限データを読み取ることができるとすれば、前記制限データに依存して、又は、前記制限データを読み取ることができないとすれば、前記制限データと独立に、前記コンテントへのアクセスを制御するための制御ユニット
：を具備する、デバイス。
【請求項１２】
請求項１１に記載のデバイスにおいて、
前記制御ユニットは、前記制限データが、読み取り可能なものではないとすれば、制限無しに前記コンテントにアクセスするように適合させられる、デバイス。
【請求項１３】
請求項１１に記載のデバイスにおいて、
前記制御ユニットは、前記制限データが、読み取り可能なものではないとすれば、デフォルトの制限データに依存して前記コンテントにアクセスするように適合させられる、デバイス。
【請求項１４】
請求項１１に記載のデバイスであって、
前記状態変化手段の光学的な反射率及び／又は透過率を測定するための測定ユニット、及び、
前記光学的な反射率及び／又は透過率の測定された値が、所定の閾値の値より上にあるかどうかを決定するための、それによって制限データを読み取ることができるか否かを評定する、閾値ユニット
を具備する、デバイス。
【請求項１５】
−  コンテントを記憶するための第一のデータエリア；
−  前記第一のデータエリアの少なくとも一部分へのアクセスを制限するための制限データを記憶するための第二のデータエリア、
−  時間とともに前記第二のデータエリアの光学的な反射率及び／又は透過率を変化させることに適合させられた状態変化手段、
：を具備する光学的な記憶媒体にアクセスするための方法であって、
前記方法は、
−  前記制限データを読み取ることを試みること、
−  前記制限データを読み取ることができるとすれば、前記制限データに依存して；又は、前記制限データを読み取ることができないとすれば、前記制限データと独立に、前記コンテントへのアクセスを制御すること
：を具備する、方法。
【請求項１６】
請求項１５に記載の方法であって、
−  前記状態変化手段の前記光学的な反射率及び／又は透過率を測定すること、
−  前記光学的な反射率及び／又は透過率の測定された値が、所定の閾値の値より上にあるかどうかを決定すること、それによって制限データを読み取ることができるか否かを評定すること
：をさらに含む、方法。
【請求項１７】
請求項１６に記載の方法において、
制限データを読み取ることができないとすれば、制限データを読み取ることを試みるステップがとばされる、方法。
【国際調査報告】
2009545832.tif 000014
2009545832.tif 000015
2009545832.tif 000016